(57)【要約】【課題】従来から、商品に付したタグにデータを記録し、商品の在庫管理などに活用されてきた。しかし、秘匿性の高い情報が含まれている場合、内容が一律に開示されることはセキュリティ上好ましくない。一方、全てのデータを暗号化すれば、特定の者に対しては開示することが必要な場合には不都合が生じる。【解決手段】本発明は、かかる実情に鑑み、記録データの暗号化の方式を必要に応じて変換できるＩＣタグと、ＩＣタグに暗号化方式の変換命令を送信する暗号化方式変換装置と、ＩＣタグからの情報を解読する解読装置を提案する。これにより、ＩＣタグは特定の者には必要な情報を開示することができ、他方、それ以外の者には情報の秘匿性を保持することができる。【選択図】            図２
2004302710.tif 000002
【特許請求の範囲】
【請求項１】
解読装置からの質問に応じて送出すべき情報である応答情報を取得する応答情報取得部と、
前記応答情報取得部で取得した応答情報を暗号化して暗号化応答情報とするための暗号化部と、
前記暗号化部での暗号化の方式を変えるための暗号化方式変換部と、
を有するＩＣタグ。
【請求項２】
前記暗号方式変換部を動作させて暗号化の方式を変えるための命令である暗号化方式変換命令を受信する暗号化方式変換命令受信部をさらに有する請求項１に記載のＩＣタグ。
【請求項３】
前記暗号化方式変換命令により変換すべき暗号化方式を特定するための情報である暗号化方式特定情報を、前記暗号化方式変換命令受信部で受信した暗号化方式変換命令から取得する暗号化方式特定情報取得部をさらに有する請求項１又は２に記載のＩＣタグ。
【請求項４】
前記暗号化方式変換部での暗号化方式の変換があったことを示す情報である暗号化方式変換済情報を取得する暗号化方式変換済情報取得部と、
自身を一意に識別するためのＩＣタグ識別情報を保持するＩＣタグ識別情報保持部と、
前記暗号化方式変換済情報取得部で取得した暗号化方式変換済情報と、前記ＩＣタグ識別情報保持部に保持されているＩＣタグ識別情報とを関連付けた情報である暗号化方式変換済告知情報を送出する暗号化方式変換済告知情報送出部と、を有する請求項３に記載のＩＣタグ。
【請求項５】
請求項１から３のいずれか一に記載のＩＣタグに対して暗号化方式変換命令を送信するための暗号化方式変換命令送信部を有する暗号化方式変換装置。
【請求項６】
ユーザを識別するための情報であるユーザ識別情報を保持するユーザ識別情報保持部と、
請求項４に記載のＩＣタグから送出される暗号化方式変換済告知情報を受信する暗号化方式変換済告知情報受信部と、
前記ユーザ識別情報保持部で保持されているユーザ識別情報と、前記暗号化方式変換済告知情報受信部で受信した暗号化方式変換済告知情報とを、関連付けた情報であるユーザ情報を出力するユーザ情報出力部と、
を有する請求項５に記載の暗号化方式変換装置。
【請求項７】
前記ユーザ情報を取得するユーザ情報取得部と、
前記ユーザ情報取得部で取得したユーザ情報を保持するユーザ情報保持部と、
解読装置からの問いかけに対する暗号化応答情報を取得する暗号化応答情報取得部と、
前記暗号化応答情報取得部にて取得した暗号化応答情報を解読する暗号化応答情報解読部と、
前記暗号化応答情報解読部にて解読された応答情報が前記ユーザ情報保持部で保持されているユーザ識別情報と関連付けられているか判断する判断部と、
を有する解読装置。
【請求項８】
解読装置から質問を受信する質問受信ステップと、
前記質問に応じて送出すべき応答情報を取得する応答情報取得ステップと、
暗号化の方式を変換するか判断を行う暗号化方式変換判断ステップと、
前記暗号化方式変換判断ステップにおいて、変換するとの判断結果の場合には、暗号化の方式を変える処理を行う暗号化方式変換ステップと、
応答情報取得ステップにて取得した応答情報を暗号化して暗号化応答情報とするための処理を行う暗号化ステップと、
を有するＩＣタグ暗号化方式変換方法。
【発明の詳細な説明】
【０００１】
【発明の属する技術分野】
本発明は、ＩＣタグに関するものである。
【０００２】
【従来の技術】
従来から、商品に関する情報などを記録したタグをその商品に付し、商品の在庫管理や、販売調査などに活用されている（特許文献１参照）。このとき、読み取られた記録データは、その内容が開示され、誰もが利用することができる点に価値があった。
【０００３】
【特許文献１】
特開２００２−１５０２４１号公報
【０００４】
【発明が解決しようとする課題】
しかし、タグに記録されるデータに、プライバシーに関わる情報などが含まれる場合がある。例えば、タグにその商品の価格が記録されていたとすると、商品の購入者がその商品をいくらで購入したのかが分かり、プライバシーの侵害となるおそれがある。また、高価な商品を簡単に見分けられることで、窃盗などの犯罪にも繋がりかねない。このような機密保持すべき情報が一律に開示されることはセキュリティ上、好ましくない。
【０００５】
一方、全てのデータについて暗号化を行うとすれば、特定の者に対しては開示することが必要な場合には不都合が生じる。
【０００６】
【課題を解決するための手段】
本発明は、かかる実情に鑑み、記録データの暗号化の方式を必要に応じて変換できるＩＣタグと、ＩＣタグに暗号化方式の変換命令を送信する暗号化方式変換装置と、ＩＣタグからの情報を解読する解読装置を提案するものである。
【０００７】
ここでのＩＣタグは様々な商品に付され、商品や所有者に関する情報などが記録される。この情報は、商品の所有者自身が商品の管理などに用いる他、例えばリサーチ会社などにより取得され、マーケッティング調査等に活用されることが想定される。
【０００８】
マーケッティング調査の前提としてリサーチ会社は、暗号化方式変換装置により暗号化方式の変換命令をＩＣタグに送信する。そして、その暗号化方式により暗号化された情報がＩＣタグから取得できた場合には、リサーチ会社は解読装置にて暗号化された情報を解読することができる。
【０００９】
このときＩＣタグは、命令に従って暗号化方式を変換し、その旨を通知する。これにより、リサーチ会社は情報を提供してマーケティング調査に協力してくれたＩＣタグの利用者に報酬を支払い、マーケッティング調査を拡充することができる。一方、ＩＣタグの所有者は、暗号化を行うことで、必要な者に安心して情報の提供を行うことができる。
【００１０】
【発明の実施の形態】
以下に、本発明の実施の形態を説明する。なお、本発明はこれら実施の形態に何ら限定されるものではなく、その要旨を逸脱しない範囲において、種々なる態様で実施しうる。
【００１１】
実施形態１は、主に請求項１、８などについて説明する。
【００１２】
実施形態２は、主に請求項２などについて説明する。
【００１３】
実施形態３は、主に請求項３などについて説明する。
【００１４】
実施形態４は、主に請求項４などについて説明する。
【００１５】
実施形態５は、主に請求項５などについて説明する。
【００１６】
実施形態６は、主に請求項６などについて説明する。
【００１７】
実施形態７は、主に請求項７などについて説明する。
＜＜実施形態１＞＞
【００１８】
＜実施形態１：概要＞
【００１９】
実施形態１について説明する。
【００２０】
図１は、本実施形態の概念の一例を示すものである。図は、本発明のＩＣタグが所有者の着用している服に付されていて、そのＩＣタグの保持している情報を、街頭に設置された解読装置により取得しようとする場面を示した。
【００２１】
まず、解読装置によりＩＣタグの保持している情報を取得するための質問が投げかけられる（▲１▼）。例えば、ＩＣタグが付された服の製造元、品番、価格、所有者の年齢などが該当する。もし、これらの情報が得られれば、どのような年齢層に、どのような商品が好まれるか等のマーケッティング分析を行うことができる。
【００２２】
これに対して、ＩＣタグからは暗号化を行った暗号化応答情報を返す（▲２▼）。暗号化されているため、解読ができない場合には、上記質問に対する回答を得ることはできない。従来、ＩＣタグの保持する情報は、通常読み取られればその内容を解読することは容易であったが、暗号化を行うことで、自分以外の他に知られることなく情報を保持しておくことができる。
【００２３】
＜実施形態１：構成＞
【００２４】
本実施形態での機能ブロックの一例を図２に示した。
【００２５】
図２に示す本実施形態の「ＩＣタグ」（０２００）は、「応答情報取得部」（０２０１）と、「暗号化部」（０２０２）と、「暗号化方式変換部」（０２０３）とからなる。
【００２６】
「ＩＣタグ」（０２００）は、記憶素子であるＩＣチップを備えた電子的な札（タグ）のことで、非接触にて発信された電波によってＩＣを作動させて情報を出力することができるものなどが知られている。将来ほとんど全ての商品にＩＣタグが付されて物流管理や、販売管理、在庫管理などに利用されると考えられている。したがって、一般人が購入するほとんど全ての商品にＩＣタグが付されるようになるものと思われる。
【００２７】
「応答情報取得部」（０２０１）は、応答情報を取得する。「応答情報」は、解読装置からの質問に応じて送出すべき情報をいい、その他ＩＣタグの識別情報などが含まれている場合もある。また、「取得」は、ＩＣタグに保持されている情報の中から、質問に合致する情報を取捨選択することをいう。取得した応答情報は、暗号化部（０２０２）へ渡される。
なお、応答情報として想定されるものは、その商品の識別番号、その商品の販売ルート、その商品の価格、その商品の製造年月日などの製造管理情報、その商品の購入者識別情報、その商品の製造者識別情報、その商品の販売者識別情報、その商品の素材、材料、構成部品、賞味期限、製造国名などの情報などである。また、応答情報は商品の製造者などにより記録される場合が想定されるが、その他、商品の購入者自身が記録することができる場合もある。その場合、商品の購入者は、例えば、自己の個人情報（年齢、性別、名前など）や、識別情報などを記録する。
【００２８】
なお、「解読装置」は、ＩＣタグリーダーなどが該当する。解読装置については、実施形態７にて詳述する。
【００２９】
「暗号化部」（０２０２）は、応答情報取得部（０２０１）で取得した応答情報を暗号化して暗号化応答情報とするための処理を行う。暗号化を行うことで、第三者に暗号化された応答情報の内容が解読されることを防ぐことができる。暗号化応答情報は、解読装置へ送出される場合もある。
【００３０】
「暗号化方式変換部」（０２０３）は、暗号化部（０２０２）での暗号化の方式を変えるための処理を行う。「暗号化の方式を変えるための処理」には、暗号化の方法自体を変換する場合の他、解読のための復号鍵を変換する場合が含まれるとしてもよい。
【００３１】
＜実施形態１：具体例＞
【００３２】
図３に示した機能ブロック図は、先の基本的機能ブロック図に具体的データをあてはめたものである。これを用いて、以下説明する。
【００３３】
図３に示す本実施形態の「ＩＣタグ」（０３００）は、「応答情報取得部」（０３０１）と、「暗号化部」（０３０２）と、「暗号化方式変換部」（０３０３）とからなる。
【００３４】
今、解読装置から質問として、「商品の品名と、型番」の問いかけが行われた。応答情報取得部（０３０１）では、これに対して送出すべき応答情報として、「品名：ワンピース、型番：ＰＫ４２５」を取得する。
【００３５】
次に、必要な場合には、暗号化方式変換部（０３０３）にて暗号化の方式を変えるための処理が行われる（暗号化の方式がすでに利用されているものでよい場合には変える処理は行われない。）。ここで、暗号化方式の説明のために、ミラー方式（文字が反転することで暗号化する）と、換字方式（文字を他の文字で置き換えることで暗号化する）を図示した。例えば、暗号化部（０３０２）での暗号化の方法自体をミラー方式に変換するとした場合には、応答情報の文字を反転させて暗号化する。
【００３６】
また、解読のための復号鍵を変換するためには、例えば換字方式の場合、暗号化方式の変換とは、所定文字ずらして原文を変換する方式をいう。そして、このずらす文字数が復号鍵となる。具体的には、元の復号鍵の原文が「ＡＢＣ」の場合、文字を１０後にずらすことで暗号化すると、得られる文字列は「ＫＬＭ」となる。ここでの復号鍵は、「１０」である。したがって、この復号鍵を変換し、「５」とすれば、原文「ＡＢＣ」に対して、暗号化された文字列は「ＦＧＨ」となる。このように、復号鍵を変換することによっても暗号化方式を変換することができる。
【００３７】
最後に、暗号化部（０３０２）では、応答情報を暗号化する。ここでは、変換された方式であるミラー方式により暗号化する場面を示した。
【００３８】
＜実施形態１：処理の流れ＞
【００３９】
図４は、実施形態１での処理の流れの一例を示したものである。本実施形態のＩＣタグにおける暗号化方法は、以下に示すステップよりなる。
【００４０】
まず、解読装置から質問を受信する（質問受信ステップ  Ｓ０４０１）。
【００４１】
次に、質問に応じて送出すべき応答情報を取得する（応答情報取得ステップ  Ｓ０４０２）。
【００４２】
さらに、暗号化の方式を変換するか判断を行う（暗号化方式変換判断ステップＳ０４０３）。変換しないとの判断結果の場合には、次のステップ（Ｓ０４０４）を経ないで、最後のステップ（Ｓ０４０５）へ移る。
【００４３】
暗号化方式変換判断ステップ（Ｓ０４０３）において、変換するとの判断結果の場合には、暗号化の方式を変える処理を行う（暗号化方式変換ステップ  Ｓ０４０４）。
【００４４】
最後に、応答情報取得ステップ（Ｓ０４０２）にて取得した応答情報を暗号化して暗号化応答情報とするための処理を行う（暗号化ステップ  Ｓ０４０５）。
【００４５】
以上の処理は、計算機に実行させるためのプログラムで実行することができ、また、このプログラムを計算機によって読み取り可能な記録媒体に記録することができる。（本明細書の全体を通して同様である。）
【００４６】
＜実施形態１：効果＞
【００４７】
本発明のＩＣタグによれば、セキュリティ保護の必要な情報を暗号化することで、第三者に情報を認知されることを防ぐことができる。また、このとき暗号化方式を変えることで、情報を開示してもよい特定の者については、相手の解読可能な暗号化方式にて暗号化し、その他の者については解読不可の状態とし、秘匿性を保持することができる。つまり、セキュリティを確保したまま、特定の者に対しては、必要な情報を安心して提供できるため、活用価値の高い発明であるといえる。
＜＜実施形態２＞＞
【００４８】
＜実施形態２：概要＞
【００４９】
実施形態２について説明する。本実施形態では、外部から暗号化方式の変換命令を受信することに特徴を有するＩＣタグである。
【００５０】
図５は、本実施形態の概念の一例を示すものである。図５では、ＩＣタグが暗号化方式の変換命令を、リサーチ会社Ａ社から受付ける場面を示した。ＩＣタグがＡ社からの暗号化方式の変換命令に従い、暗号化方式を変換した場合には、その暗号化方式により暗号化された暗号化応答情報は、Ａ社は解読することができるが、Ｂ社は解読することができないことになる。
【００５１】
＜実施形態２：構成＞
【００５２】
本実施形態での機能ブロックの一例を図６に示した。
【００５３】
図６に示す本実施形態の「ＩＣタグ」（０６００）は、「応答情報取得部」（０６０１）と、「暗号化部」（０６０２）と、「暗号化方式変換部」（０６０３）と、さらに、「暗号化方式変換命令受信部」（０６０４）とからなる。
【００５４】
「暗号化方式変換命令受信部」（０６０４）は、暗号化方式変換命令を受信する。「暗号化方式変換命令」は、暗号化方式変換部（０６０３）を動作させて暗号化の方式を変えるための命令である。例えば、先の例では、「換字方式からミラー方式への変換すべき」等の命令が該当する。暗号化方式変換命令の送信元は、マーケティング調査などに利用するために応答情報の解読を希望するリサーチ会社などが想定される。その他、他者に情報を知られないようにするために、ＩＣタグ所有者自身が暗号化変換装置などを用いて、暗号化方式変換命令を送信し、暗号化の方式を変換するとしてもよい。
【００５５】
受信した暗号化方式変換命令は、暗号化方式変換部（０６０３）へ渡される。
【００５６】
＜実施形態２：処理の流れ＞
【００５７】
図７は、実施形態２での処理の流れの一例を示したものである。本実施形態のＩＣタグにおける暗号化方法は、以下に示すステップよりなる。
【００５８】
まず、解読装置から質問を受信する（質問受信ステップ  Ｓ０７０１）。
【００５９】
次に、質問に応じて送出すべき応答情報を取得する（応答情報取得ステップ  Ｓ０７０２）。
【００６０】
さらに、暗号化方式変換命令を受信する（暗号化方式変換命令受信ステップ  Ｓ０７０３）。
【００６１】
その次に、暗号化方式変換命令受信ステップ（Ｓ０７０３）にて受信した暗号化方式変換命令に従って、暗号化の方式を変えるための処理を行う（暗号化方式変換ステップ  Ｓ０７０４）。
【００６２】
最後に、応答情報取得ステップ（Ｓ０７０２）にて取得した応答情報を暗号化して暗号化応答情報とするための処理を行う（暗号化ステップ  Ｓ０７０５）。
【００６３】
＜実施形態２：効果＞
【００６４】
本発明のＩＣタグは、外部から暗号化方式変換命令を受付け、それに応じて暗号化の方式を変換することが可能となる。ＩＣタグに対して、直接的に暗号化方式の変換を求めることができることで、リサーチ会社などの外部の第三者においても新たなビジネスチャンスにつなげることができ、有効である。
＜＜実施形態３＞＞
【００６５】
＜実施形態３：概要＞
【００６６】
実施形態３について説明する。本実施形態では、暗号化方式変換命令に暗号化方式を特定するための情報が含まれていることに特徴を有するＩＣタグである。
【００６７】
＜実施形態３：構成＞
【００６８】
本実施形態での機能ブロックの一例を図８に示した。
【００６９】
図８に示す本実施形態の「ＩＣタグ」（０８００）は、「応答情報取得部」（０８０１）と、「暗号化部」（０８０２）と、「暗号化方式変換部」（０８０３）と、「暗号化方式変換命令受信部」（０８０４）と、さらに、「暗号化方式特定情報取得部」（０８０５）とからなる。
【００７０】
「暗号化方式特定情報取得部」（０８０５）は、暗号化方式特定情報を、前記暗号化方式変換命令受信部（０８０４）で受信した暗号化方式変換命令から取得する。「暗号化方式特定情報」は、暗号化方式変換命令により変換すべき暗号化方式を特定するための情報である。また、暗号化方式変換命令の送信元についての情報などが含まれてもよい。例えば、先の例では、「変換すべき暗号化方式：ミラー方式、送信元：Ａ社」等の情報が該当する。ここで暗号化方式特定情報は、暗号化方式を特定するための情報であるので、例えば暗号化方式を識別するための情報であれば、単なる符号、数値、などであっても良い。また暗号化方式を特定するための情報は、暗号化するためのプログラムそのものである場合もある。
【００７１】
取得した暗号化方式特定情報は、暗号化方式変換部（０８０３）へ渡される。暗号化方式変換部では、受信した暗号化方式特定情報から暗号化の方式を変換しないと判断してもよい。例えばその暗号化情報特定情報で暗号化方式を特定できない場合などには、暗号化の方式を変換しなくても良い。
【００７２】
＜実施形態３：処理の流れ＞
【００７３】
図９は、実施形態３での処理の流れの一例を示したものである。本実施形態のＩＣタグにおける暗号化方法は、以下に示すステップよりなる。
【００７４】
まず、解読装置から質問を受信する（質問受信ステップ  Ｓ０９０１）。
【００７５】
次に、質問に応じて送出すべき応答情報を取得する（応答情報取得ステップ  Ｓ０９０２）。
【００７６】
さらに、暗号化方式変換命令を受信する（暗号化方式変換命令受信ステップ  Ｓ０９０３）。
【００７７】
その次に、暗号化方式変換命令により変換すべき暗号化方式を特定するための情報である暗号化方式特定情報を、暗号化方式変換命令受信ステップ（Ｓ０９０３）にて受信した暗号化方式変換命令から取得する（暗号化方式特定情報取得ステップ  Ｓ０９０４）。
【００７８】
さらに、暗号化方式特定情報取得ステップ（Ｓ０９０４）にて取得した暗号化方式特定情報に従って、暗号化の方式を変えるための処理を行う（暗号化方式変換ステップ  Ｓ０９０５）。
【００７９】
最後に、応答情報取得ステップ（Ｓ０９０２）にて取得した応答情報を暗号化して暗号化応答情報とするための処理を行う（暗号化ステップ  Ｓ０９０６）。
【００８０】
＜実施形態３：効果＞
【００８１】
本発明のＩＣタグは、外部から受付けた暗号化方式変換命令から、暗号化方式特定情報を取得し、それに応じて暗号化の方式を変換することが可能となる。これにより、ＩＣタグは暗号化方式を変換するかどうかの判断を行うことが可能となるため、セキュリティの確保が図られ、安心して情報の提供を行うことができる。
＜＜実施形態４＞＞
【００８２】
＜実施形態４：概要＞
【００８３】
実施形態４について説明する。本実施形態では、暗号化方式の変換があったことを告知することに特徴を有するＩＣタグである。
【００８４】
図１０は、本実施形態の概念の一例を示すものである。図１０では、ＩＣタグが暗号化方式の変換命令を、リサーチ会社Ａ社から受付ける場面を示した。ＩＣタグがＡ社からの暗号化方式の変換命令に従い、暗号化方式を変換した場合には、その変換があったとの告知を行うために、ＩＣタグはＡ社に対して送信するための暗号化方式変換済告知情報を送出する。暗号化方式変換済告知情報には、ＩＣタグの識別情報と、暗号化方式の変換があったことを示す情報が含まれる。この送出される情報はＩＣタグ自身のみでなく、他の伝送装置などが介在することで目的のＡ社などに届くこととなる。
【００８５】
このとき、Ａ社が指定する方式での暗号化が行われた場合には、その暗号化応答情報をＡ社が解読することが可能となり、Ａ社はそのデータをマーケッティング調査などに活用することができる。一方、Ａ社は暗号化方式変換済告知情報を受けることで、その送出先である情報提供者を識別することができる。情報提供者に対して情報提供に対する報酬を支払うことや、さらなる情報提供への協力を依頼することができ、マーケッティング調査の拡充を図ることができる。
【００８６】
＜実施形態４：構成＞
【００８７】
本実施形態での機能ブロックの一例を図１１に示した。
【００８８】
図１１に示す本実施形態の「ＩＣタグ」（１１００）は、「応答情報取得部」（１１０１）と、「暗号化部」（１１０２）と、「暗号化方式変換部」（１１０３）と、「暗号化方式変換命令受信部」（１１０４）と、「暗号化方式特定情報取得部」（１１０５）と、さらに、「暗号化方式変換済情報取得部」（１１０６）と、「ＩＣタグ識別情報保持部」（１１０７）と、「暗号化方式変換済告知情報送出部」（１１０８）とからなる。
【００８９】
「暗号化方式変換済情報取得部」（１１０６）は、暗号化方式変換済情報を取得する。「暗号化方式変換済情報」は、前記暗号化方式変換部（１１０３）での暗号化方式の変換があったことを示す情報である。図１０に示した例では、暗号化方式変換済情報を「変換済み」とすることで、変換が行われたことを示した。
【００９０】
「ＩＣタグ識別情報保持部」（１１０７）は、ＩＣタグ識別情報を保持する。「ＩＣタグ識別情報」は、自身を一意に識別するための情報である。図１０に示した例では、ＩＣタグ識別情報は「ＩＤ０７２」と示した。
【００９１】
「暗号化方式変換済告知情報送出部」（１１０８）は、暗号化方式変換済告知情報を送出する。「暗号化方式変換済告知情報」は、前記暗号化方式変換済情報取得部（１１０６）で取得した暗号化方式変換済情報と、前記ＩＣタグ識別情報保持部（１１０７）に保持されているＩＣタグ識別情報とを関連付けた情報である。暗号化方式変換済告知情報の送出先は、暗号化方式変換命令の送信元などが該当する。暗号化方式変換命令の送信元に対して、暗号化の変換を行ったことを告知することにより、ＩＣタグの保有する暗号化応答情報の解読できることを知らせ、応答情報を提供したことによる対価を得ることが可能となる。
【００９２】
＜実施形態４：処理の流れ＞
【００９３】
図１２は、実施形態４での処理の流れの一例を示したものである。本実施形態のＩＣタグにおける暗号化方法は、以下に示すステップよりなる。
【００９４】
まず、暗号化方式変換命令を受信する（暗号化方式変換命令受信ステップ  Ｓ１２０１）。
【００９５】
さらに、暗号化方式変換命令に従って、暗号化の方式を変えるための処理を行う（暗号化方式変換ステップ  Ｓ１２０２）。
【００９６】
次に、暗号化方式変換ステップ（Ｓ１２０２）において、暗号化方式変換済情報を取得する（暗号化方式変換済情報取得ステップ  Ｓ１２０３）。
【００９７】
最後に、暗号化方式変換済情報取得ステップ（Ｓ１２０３）において取得した暗号化方式変換済情報と、ＩＣタグ識別情報とを関連付けた情報である暗号化方式変換済告知情報を送出する（暗号化方式変換済告知情報送出ステップ  Ｓ１２０４）。
【００９８】
＜実施形態４：効果＞
【００９９】
本発明のＩＣタグは、外部から受付けた暗号化方式変換命令に従って、暗号化の方式を変換した場合、その旨を暗号化方式変換済告知情報として送出することが可能となる。これにより、暗号化方式変換命令の送信元であるリサーチ会社などに対して、暗号化の変換を行ったことを告知することにより、ＩＣタグの保有する暗号化応答情報を解読できることを知らせ、応答情報を提供したことによる対価を得ることが可能となる。
【０１００】
リサーチ会社も、情報提供者に対して情報提供に対する報酬を支払うことで、さらなる情報提供への協力を依頼することができ、マーケッティング調査の拡充を図ることができ、有用である。
＜＜実施形態５＞＞
【０１０１】
＜実施形態５：概要＞
【０１０２】
実施形態５について説明する。本実施形態では、暗号化方式の変換命令を送出する暗号化方式変換装置である。
【０１０３】
図１３は、本実施形態の概念の一例を示すものである。図１３は、家庭のクローゼットの中に暗号化方式変換装置が設置されている様子を示したものである。ここでは、洋服、かばん、靴にＩＣタグが付されている。暗号化方式変換装置から暗号化方式変換命令が送信されることで、ＩＣタグの暗号化の方式が変換される。ＩＣタグには、個人情報など、秘匿性の高い情報なども含まれている場合があるため、ＩＣタグ所有者自身が、暗号化の方式を変換する必要がある場合もある。このとき、ＩＣタグの内部の情報を暗号化してセキュリティを確保するために、本実施形態の暗号化方式変換装置を利用すると便利である。
【０１０４】
＜実施形態５：構成＞
【０１０５】
本実施形態での機能ブロックの一例を図１４に示した。
【０１０６】
図１４に示す本実施形態の「暗号化方式変換装置」（１４００）は、「暗号化方式変換命令送信部」（１４０１）を有する。またここでは、上述した実施形態２のＩＣタグを説明のために用いる。「ＩＣタグ」（１４１０）は、「応答情報取得部」（１４１１）と、「暗号化部」（１４１２）と、「暗号化方式変換部」（１４１３）と、「暗号化方式変換命令受信部」（１４１４）と、からなる。
【０１０７】
「暗号化方式変換命令送信部」（１４０１）は、ＩＣタグに対して暗号化方式変換命令を送信するための処理を行う。送信は、例えば、ボタン操作などの処理に基づいて行われるものでもよいし、一定時間経過ごとに行われるとしてもよい。
【０１０８】
暗号化方式変換装置は、ＩＣタグに保持された情報の暗号化方式を変換するために、ＩＣタグの所有者自身が暗号化方式変換装置を所有し、利用する場合が想定される。その他、例えば、リサーチ会社などの依頼主が解読可能な暗号化方式に変換できるように暗号化方式変換命令を送信するため、暗号化方式変換装置が設置される場合もある。また、図１３の例ではクローゼットに設置する例を示したが、それ以外に、冷蔵庫、箪笥、食器棚、ファイルロッカー、机、金庫など物や、貨幣、紙幣などを管理するあらゆる場所に設置される場合がある。
【０１０９】
一方、ＩＣタグでは、暗号化方式変換命令を暗号化方式変換命令受信部（１４１４）により受信し、暗号化方式変換部（１４１３）にて暗号化の方式を変換する。
【０１１０】
＜実施形態５：効果＞
【０１１１】
本発明の暗号化方式変換装置は、ＩＣタグに暗号化方式変換命令を送信する。ＩＣタグがこれに従い、暗号化の方式を変換した場合、それ以外の暗号化方式では暗号化された応答情報を解読することはできないため、暗号化方式変換装置によってＩＣタグの保有する情報の秘匿性を保つことができる。
【０１１２】
ＩＣタグの所有者自身が、暗号化方式変換装置を用いて、暗号化の方式を変換する場合には、他者に対して情報を暗号化して秘密にすることができる。例えば、ＩＣタグを付したかばんを盗まれたときであっても、ＩＣタグに記録された情報の内容については機密を保持することができるという利点がある。
＜＜実施形態６＞＞
【０１１３】
＜実施形態６：概要＞
【０１１４】
実施形態６について説明する。本実施形態では、ＩＣタグから送出される暗号化方式変換済告知情報と、ユーザを識別するためのユーザ識別情報とを関連付けて出力することに特徴を有する暗号化方式変換装置である。
【０１１５】
＜実施形態６：構成＞
【０１１６】
本実施形態での機能ブロックの一例を図１５に示した。
【０１１７】
図１５に示す本実施形態の「暗号化方式変換装置」（１５００）は、「暗号化方式変換命令送信部」（１５０１）と、さらに、「ユーザ識別情報保持部」（１５０２）と、「暗号化方式変換済告知情報受信部」（１５０３）と、「ユーザ情報出力部」（１５０４）とを有する。またここでは、上述した実施形態４のＩＣタグを説明のために用いる。「ＩＣタグ」（１５１０）は、「応答情報取得部」（１５１１）と、「暗号化部」（１５１２）と、「暗号化方式変換部」（１５１３）と、「暗号化方式変換命令受信部」（１５１４）と、「暗号化方式特定情報取得部」（１５１５）と、「暗号化方式変換済情報取得部」（１５１６）と、「ＩＣタグ識別情報保持部」（１５１７）と、「暗号化方式変換済告知情報送出部」（１５１８）とからなる。
【０１１８】
「ユーザ識別情報保持部」（１５０２）は、ユーザ識別情報を保持する。「ユーザ識別情報」は、暗号化方式変換装置のユーザを識別するための情報である。
【０１１９】
「暗号化方式変換済告知情報受信部」（１５０３）は、ＩＣタグから送出される暗号化方式変換済告知情報を受信する。暗号化方式変換済告知情報は、暗号化変換装置から送信した暗号化方式変換命令に従って、ＩＣタグが暗号化方式の変換を行った場合に、「暗号化方式変換済告知情報送出部」（１５１８）から送出される。
【０１２０】
「ユーザ情報出力部」（１５０４）は、ユーザ情報を出力する。「ユーザ情報」は、ユーザ識別情報保持部（１５０２）で保持されているユーザ識別情報と、前記暗号化方式変換済告知情報受信部（１５０３）で受信した暗号化方式変換済告知情報とを、関連付けた情報である。出力先は、リサーチ会社などが想定される。リサーチ会社は、ユーザ情報を受けることにより、ＩＣタグの暗号化方式を変換したユーザを特定できるため、そのユーザに情報提供の報酬を渡すことができる。
【０１２１】
＜実施形態６：処理の流れ＞
【０１２２】
図１６は、実施形態６での処理の流れの一例を示したものである。本実施形態の暗号化方式変換装置における処理の流れは、以下に示すステップよりなる。なお、上述した実施形態４のＩＣタグにおける処理の流れも説明のために用いる。
【０１２３】
最初に、暗号化方式変換装置は、ＩＣタグに対して暗号化方式変換命令を送信するための処理を行う（暗号化方式変換命令送信ステップ  Ｓ１６０１）。これは、ＩＣタグの暗号化方式変換命令受信ステップ（Ｓ１６１１）にて処理される。
【０１２４】
次にＩＣタグは、暗号化方式変換命令を受信する（暗号化方式変換命令受信ステップ  Ｓ１６１１）。
【０１２５】
さらにＩＣタグは、暗号化方式変換命令に従って、暗号化の方式を変えるための処理を行う（暗号化方式変換ステップ  Ｓ１６１２）。
【０１２６】
次にＩＣタグは、暗号化方式変換ステップ（Ｓ１６１２）において暗号化方式の変換があったことを示す情報である暗号化方式変換済情報を取得する（暗号化方式変換済情報取得ステップ  Ｓ１６１３）。
【０１２７】
その次にＩＣタグは、暗号化方式変換済情報取得ステップ（Ｓ１６１３）において取得した暗号化方式変換済情報と、ＩＣタグ識別情報とを関連付けた情報である暗号化方式変換済告知情報を送出する（暗号化方式変換済告知情報送出ステップ  Ｓ１６１４）。これは、暗号化方式変換装置の暗号化方式変換済告知情報受信ステップ（Ｓ１６０２）にて処理される。
【０１２８】
一方暗号化方式変換装置は、ＩＣタグから送出される暗号化方式変換済告知情報を受信する（暗号化方式変換済告知情報受信ステップ  Ｓ１６０２）。
【０１２９】
最後に暗号化方式変換装置は、保持されたユーザ識別情報と、前記暗号化方式変換済告知情報受信ステップ（Ｓ１６０２）において受信した暗号化方式変換済告知情報とを、関連付けた情報であるユーザ情報を出力する（ユーザ情報出力ステップ  Ｓ１６０３）。
【０１３０】
＜実施形態６：効果＞
【０１３１】
本発明の暗号化方式変換装置は、暗号化方式変換命令を送信し、それに従って、ＩＣタグが暗号化の方式を変換した場合、その旨を暗号化方式変換済告知情報として受信する。これをユーザの識別情報と関連付けてリサーチ会社などに、ユーザ情報として出力することで、リサーチ会社は、ＩＣタグの保有する暗号化応答情報を解読できることが認識できる。またユーザは、リサーチ会社から応答情報を提供したことによる対価を得ることが可能となる。
【０１３２】
リサーチ会社も、情報提供者に対して情報提供に対する報酬を支払うことで、さらなる情報提供への協力を依頼することができ、マーケッティング調査の拡充を図ることができ、有用である。
＜＜実施形態７＞＞
【０１３３】
＜実施形態７：概要＞
【０１３４】
実施形態７について説明する。本実施形態では、特定の暗号化方式を解読する解読装置である。
【０１３５】
＜実施形態７：構成＞
【０１３６】
本実施形態での機能ブロックの一例を図１７に示した。
【０１３７】
図１７に示す本実施形態の「解読装置」（１７００）は、「ユーザ情報取得部」（１７０１）と、「ユーザ情報保持部」（１７０２）と、「暗号化応答情報取得部」（１７０３）と、「暗号化応答情報解読部」（１７０４）と、「判断部」（１７０５）とからなる。
【０１３８】
「ユーザ情報取得部」（１７０１）は、ユーザ情報を取得する。ユーザ情報は、暗号化方式変換装置から出力されたものであり、ユーザ識別情報と、暗号化方式変換済告知情報とを関連付けた情報である。
【０１３９】
「ユーザ情報保持部」（１７０２）は、ユーザ情報取得部（１７０１）で取得したユーザ情報を保持する。
【０１４０】
「暗号化応答情報取得部」（１７０３）は、解読装置からの問いかけに対する暗号化応答情報を取得する。例えば、解読装置から質問として、「商品の品名と、型番」の問いかけが行われた場合には、応答情報としては、「品名：ワンピース、型番：ＰＫ４２５」が該当する。これを、特定の暗号化方式により暗号化したものが暗号化応答情報である。
【０１４１】
「暗号化応答情報解読部」（１７０４）は、暗号化応答情報取得部（１７０３）にて取得した暗号化応答情報を解読する。解読は、暗号を復号化することにより行う。
【０１４２】
「判断部」（１７０５）は、前記暗号化応答情報解読部（１７０４）にて解読された応答情報が前記ユーザ情報保持部（１７０２）で保持されているユーザ識別情報と関連付けられているか判断する。例えば、応答情報に含まれたＩＣタグの識別情報と、ユーザ識別情報とを比較して判断処理を行うことなどが該当する。ＩＣタグと、そのＩＣタグに暗号化方式変換命令を送信することで暗号化応答情報を解読できるようにしたユーザとが一致することが判断できれば、ユーザに対して、その対価を支払うことが可能となる。
【０１４３】
「解読装置」（１７００）は、ＩＣタグに対して質問を行い、それに対する暗号化応答情報を取得し、暗号を復号化して解読する装置であるが、これは街頭などに設置され、行き交う不特定のＩＣタグに対して応答情報の取得を行うことが可能なＩＣタグリーダーなどを想定する。またその他、解読装置は、リサーチ会社などのサーバ装置などであってもよい。さらに、解読装置は、暗号化方式変換装置と同一の装置で実現するとしてもよい。
【０１４４】
＜実施形態７：処理の流れ＞
【０１４５】
図１８は、実施形態７での処理の流れの一例を示したものである。本実施形態の解読装置における処理の流れは、以下に示すステップよりなる。なお、上述したＩＣタグにおける処理の流れも説明のために用いる。
【０１４６】
最初に解読装置は、ＩＣタグに対して質問を送信する（質問送信ステップ  Ｓ１８０１）。これは、ＩＣタグの質問受信ステップ（Ｓ１８１１）にて処理される。
【０１４７】
次に解読装置は、ユーザ情報を取得する（ユーザ情報取得ステップ  Ｓ１８０２）。
【０１４８】
一方ＩＣタグは、解読装置から送信された質問を受信する（質問受信ステップＳ１８１１）。
【０１４９】
次にＩＣタグは、質問受信ステップ（Ｓ１８１１）にて取得した質問に応じた応答情報を取得する（応答情報取得ステップ  Ｓ１８１２）。
【０１５０】
さらにＩＣタグは、応答情報取得ステップ（Ｓ１８１２）にて取得した応答情報を暗号化して暗号化応答情報とする（暗号化ステップ  Ｓ１８１３）。これは、解読装置の暗号化応答情報取得ステップ（Ｓ１８０３）にて処理される。
【０１５１】
一方解読装置は、ＩＣタグの暗号化ステップ（Ｓ１８１３）において暗号化された暗号化応答情報を取得する（暗号化応答情報取得ステップ  Ｓ１８０３）。
【０１５２】
次に解読装置は、暗号化応答情報取得ステップ（Ｓ１８０３）にて取得した暗号化応答情報を解読する（暗号化応答情報解読ステップ  Ｓ１８０４）。
【０１５３】
最後に解読装置は、暗号化応答情報解読ステップ（Ｓ１８０４）において解読された応答情報が、保持されたユーザ識別情報と、関連付けられているか判断する（判断ステップ  Ｓ１８０５）。
【０１５４】
＜実施形態７：効果＞
【０１５５】
本発明の解読装置は、特定の方式で暗号化された暗号化応答情報を解読する。ＩＣタグの所有者は、プライバシーに関わる情報に対して暗号化を行うことができ、一方、その情報の受信者は解読装置にて解読して、情報の提供を受けることができる。特定の者にのみ必要な情報を伝えることができ、他方、それ以外の者には情報の秘匿性を保持することができる点が有益である。
【０１５６】
【発明の効果】
以上、説明したように本発明のＩＣタグによれば、セキュリティ保護の必要な情報を暗号化することで、第三者に情報を認知されることを防ぐことができる。また、このとき暗号化方式を変えることで、情報を開示してもよい特定の者については、相手の解読可能な暗号化方式にて暗号化し、その他の者については解読不可の状態とし、秘匿性を保持することができる。つまり、セキュリティを確保したまま、特定の者に対しては、必要な情報を安心して提供できるという効果がある。
【図面の簡単な説明】
【図１】実施形態１を説明するための概念図
【図２】実施形態１を説明するための機能ブロック図
【図３】実施形態１を説明するための具体的なデータに基づく機能ブロック図
【図４】実施形態１の処理の流れを説明する図
【図５】実施形態２を説明するための概念図
【図６】実施形態２を説明するための機能ブロック図
【図７】実施形態２の処理の流れを説明する図
【図８】実施形態３を説明するための機能ブロック図
【図９】実施形態３の処理の流れを説明する図
【図１０】実施形態４を説明するための概念図
【図１１】実施形態４を説明するための機能ブロック図
【図１２】実施形態４の処理の流れを説明する図
【図１３】実施形態５を説明するための概念図
【図１４】実施形態５を説明するための機能ブロック図
【図１５】実施形態６を説明するための機能ブロック図
【図１６】実施形態６の処理の流れを説明する図
【図１７】実施形態７を説明するための機能ブロック図
【図１８】実施形態７の処理の流れを説明する図
【符号の説明】
０２００    ＩＣタグ
０２０１    応答情報取得部
０２０２    暗号化部
０２０３    暗号化方式変換部
【図１】
2004302710.tif 000003
【図２】
2004302710.tif 000004
【図３】
2004302710.tif 000005
【図４】
2004302710.tif 000006
【図５】
2004302710.tif 000007
【図６】
2004302710.tif 000008
【図７】
2004302710.tif 000009
【図８】
2004302710.tif 000010
【図９】
2004302710.tif 000011
【図１０】
2004302710.tif 000012
【図１１】
2004302710.tif 000013
【図１２】
2004302710.tif 000014
【図１３】
2004302710.tif 000015
【図１４】
2004302710.tif 000016
【図１５】
2004302710.tif 000017
【図１６】
2004302710.tif 000018
【図１７】
2004302710.tif 000019
【図１８】
2004302710.tif 000020